(57)【要約】【課題】複数の用紙が綴られた冊子状の紙媒体が用いられた場合でも、複数の用紙のそれぞれを区別でき、且つ、ストロークデータを取得するための枠内領域を維持できる情報入力装置を提供する。【解決手段】読取装置は、複数の用紙が綴られた紙媒体が載置される載置部を有する。ＣＰＵは、紙媒体上での筆記具の移動の軌跡を示す筆記データを取得する（Ｓ１９）。ＣＰＵは、載置部に載置された状態で紙媒体の最表部に配置される用紙である最表部用紙を、次の頁の用紙に更新する更新指示を受け付けたか判定する（Ｓ２１）。ＣＰＵは、紙媒体の複数の用紙のそれぞれに関連する複数の頁データのうち、最表部用紙に対応する最表部頁データを取得する（Ｓ１７）。ＣＰＵは、更新指示を受け付けたと判定してから、次に更新指示を受け付けたと判定する前までの間に取得された筆記データを、最表部頁データに関連付けて記憶する（Ｓ２５）。【選択図】図４
2016218970.tif 000002
【特許請求の範囲】
【請求項１】
複数の用紙が綴られた紙媒体が載置される載置部と、
前記紙媒体上での筆記具の移動の軌跡を示す筆記データを取得する第１取得手段と、
前記載置部に載置された状態で前記紙媒体の最表部に配置される用紙である最表部用紙を、次の頁の用紙に更新する更新指示を受け付けたか判定する第１判定手段と、
前記紙媒体の前記複数の用紙のそれぞれに関連する複数の頁データのうち、前記最表部用紙に対応する最表部頁データを取得する第２取得手段と、
前記第１判定手段によって前記更新指示を受け付けたと判定してから、次に前記更新指示を受け付けたと判定する前までの間に、前記第１取得手段によって取得された前記筆記データを、前記第２取得手段によって取得された前記最表部頁データに関連付けて記憶する記憶手段と
を備え
前記第２取得手段は、
前記第１判定手段によって前記更新指示を受け付ける毎に、前記最表部用紙に対応する頁を更新し、更新した頁の用紙に関連する頁データを、前記最表部頁データとして取得することを特徴とする情報入力装置。
【請求項２】
前記第１判定手段は、
前記載置部の所定領域に前記筆記具が近接したことを検出した場合に、前記更新指示を受け付けたと判定することを特徴とする請求項１に記載の情報入力装置。
【請求項３】
前記第１判定手段は、
前記筆記具によって所定回数筆記する操作を検出した場合に、前記更新指示を受け付けたと判定することを特徴とする請求項１に記載の情報入力装置。
【請求項４】
前記紙媒体を示す媒体情報に第１識別情報を関連付けて記憶する記憶部と、
前記筆記具に設けられたＲＦＩＤタグに記憶された第２識別情報を検出する検出手段と、
前記媒体情報に関連付けて前記記憶部に記憶された前記第１識別情報と、前記検出手段によって検出された前記第２識別情報とが一致するか判定する第２判定手段と
を備え、
前記第２取得手段は、
前記第２判定手段によって、前記第１識別情報と前記第２識別情報とが一致すると判定した場合に、前記媒体情報によって示される前記紙媒体の複数の用紙のそれぞれに関連する複数の頁データから前記最表部頁データを取得することを特徴とする請求項１から３の何れかに記載の情報入力装置。
【請求項５】
前記記憶部は、複数の第１識別情報のそれぞれの順番を示す順番情報を記憶し、
前記第２判定手段は、
前記紙媒体に関連付けて前記記憶部に記憶された前記複数の第１識別情報のうち、前記第１判定手段によって前記更新指示を受け付けた回数に応じた前記順番の前記第１識別情報を、前記順番情報に基づいて特定し、特定した前記第１識別情報と前記第２識別情報とが一致するか判定することを特徴とする請求項４に記載の情報入力装置。
【請求項６】
前記紙媒体を示す媒体情報に第３識別情報を関連付けて記憶する記憶部と、
前記筆記具の移動の軌跡に基づいて第４識別情報を特定する特定手段と、
前記媒体情報に関連付けて前記記憶部に記憶された前記第３識別情報と、前記特定手段によって特定された前記第４識別情報とが一致するか判定する第３判定手段と
を備え、
前記第２取得手段は、
前記第３判定手段によって、前記第３識別情報と前記第４識別情報とが一致すると判定した場合に、前記媒体情報によって示される前記紙媒体の複数の用紙のそれぞれに関連する複数の頁データから前記最表部頁データを取得することを特徴とする請求項１から３の何れかに記載の情報入力装置。
【請求項７】
前記複数の頁データのそれぞれは、対応する前記複数の用紙のそれぞれに予め設けられた線画を特定可能なフォーマットデータであることを特徴とする請求項１から６の何れかに記載の情報入力装置。
【発明の詳細な説明】
【技術分野】
【０００１】
本発明は、ユーザが紙媒体に筆記具で筆記したときの筆記具の移動の軌跡を電子化することによって、ユーザが筆記した情報を取得可能な情報入力装置に関する。
【背景技術】
【０００２】
台座上に載置された紙媒体に筆記具で筆記された場合の筆記具の移動の軌跡を電子化することが可能な情報入力装置が知られている。特許文献１は、電磁誘導式の電子ペンの位置を、センサ基板に配列された複数のループコイルによって検出することが可能な入力装置を開示する。入力装置に載置されて使用される週次フォーマットの用紙には、何週目のフォーマットであるかを指定するためのチェックボックスが、週次の予定を書き込む領域（以下、「枠内領域」という。）と別の領域（以下、「枠外領域」という。）に設けられている。枠外領域におけるチェックボックスの位置は、週毎に異なっている。入力装置は、枠外領域に電子ペンでチェックマークが筆記されたことを検出した場合、筆記されたチェックマークの位置に応じて、何週目の週次フォーマットの用紙であるかを認識する。入力装置は、認識した週次フォーマットと、枠内領域における電子ペンの移動の軌跡を示すストロークデータとを対応付ける。
【先行技術文献】
【特許文献】
【０００３】
【特許文献１】特開２０１５−２６２０９号公報
【発明の概要】
【発明が解決しようとする課題】
【０００４】
複数の用紙が綴られた冊子状の紙媒体が用いられる場合がある。この場合、特許文献１に記載された方法で複数の用紙のそれぞれを特定するためには、複数の用紙のそれぞれに設けられるチェックボックスの位置を、用紙毎に異ならせる必要がある。この場合、複数の用紙の枚数が多い程、チェックボックスが設けられる枠外領域を大きくする必要があるので、ストロークデータを取得するための枠内領域が小さくなってしまうという問題点がある。
【０００５】
本発明の目的は、複数の用紙が綴られた冊子状の紙媒体が用いられた場合でも、複数の用紙のそれぞれを区別でき、且つ、ストロークデータを取得するための枠内領域を維持できる情報入力装置を提供することである。
【課題を解決するための手段】
【０００６】
本発明に係る情報入力装置は、複数の用紙が綴られた紙媒体が載置される載置部と、前記紙媒体上での筆記具の移動の軌跡を示す筆記データを取得する第１取得手段と、前記載置部に載置された状態で前記紙媒体の最表部に配置される用紙である最表部用紙を、次の頁の用紙に更新する更新指示を受け付けたか判定する第１判定手段と、前記紙媒体の前記複数の用紙のそれぞれに関連する複数の頁データのうち、前記最表部用紙に対応する最表部頁データを取得する第２取得手段と、前記第１判定手段によって前記更新指示を受け付けたと判定してから、次に前記更新指示を受け付けたと判定する前までの間に、前記第１取得手段によって取得された前記筆記データを、前記第２取得手段によって取得された前記最表部頁データに関連付けて記憶する記憶手段とを備え、前記第２取得手段は、前記第１判定手段によって前記更新指示を受け付ける毎に、前記最表部用紙に対応する頁を更新し、更新した頁の用紙に関連する頁データを、前記最表部頁データとして取得することを特徴とする。
【０００７】
本発明によれば、情報入力装置は、複数の用紙が綴られた紙媒体上での筆記具の移動の軌跡を示す筆記データを取得する。情報入力装置は、更新指示を受け付けてから、次に更新指示を受け付けるまでの間に取得した筆記データを、最表部頁データに関連付けて記憶する。このように、情報入力装置は、最表部の用紙を、筆記が行われた用紙とみなし、最表部の用紙に対応する頁データを筆記データに関連付けて記憶するので、筆記された用紙に対応する頁データと、筆跡を示す筆記データとを関連付けて容易に記憶できる。又、上記の場合、筆記された用紙を個別に特定するための領域を最小化できる。従って、情報入力装置は、複数の用紙が綴られた紙媒体の筆記領域を確保しつつ、それぞれの用紙上での筆記具の移動の軌跡を示す筆記データを取得し、筆記された用紙に対応する頁データに関連付けて記憶できる。
【０００８】
本発明において、前記第１判定手段は、前記載置部の所定領域に前記筆記具が近接したことを検出した場合に、前記更新指示を受け付けたと判定してもよい。この場合、紙媒体の複数の用紙のそれぞれのうち、所定領域に対応する部分を除いた部分を、筆記領域として確保できる。従って、複数の用紙のそれぞれに、より大きな筆記領域を確保できる。
【０００９】
本発明において、前記第１判定手段は、前記筆記具によって所定回数筆記する操作を検出した場合に、前記更新指示を受け付けたと判定してもよい。この場合、情報入力装置は、更新指示を受け付けるための領域が、紙媒体の複数の用紙のそれぞれに設けられていない場合でも、筆記された用紙を特定し、筆記された用紙に対応する頁データに筆記データを関連付けて記憶できる。
【００１０】
本発明において、前記紙媒体を示す媒体情報に第１識別情報を関連付けて記憶する記憶部と、前記筆記具に設けられたＲＦＩＤタグに記憶された第２識別情報を検出する検出手段と、前記媒体情報に関連付けて前記記憶部に記憶された前記第１識別情報と、前記検出手段によって検出された前記第２識別情報とが一致するか判定する第２判定手段とを備え、前記第２取得手段は、前記第２判定手段によって、前記第１識別情報と前記第２識別情報とが一致すると判定した場合に、前記媒体情報によって示される前記紙媒体の複数の用紙のそれぞれに関連する複数の頁データから前記最表部頁データを取得してもよい。この場合、情報入力装置は、記憶部に予め記憶された第１識別情報と一致する第２識別情報が記憶されたＲＦＩＤタグを備えた筆記具によって筆記された場合に、筆記データと最表部頁データとを関連付けて記憶部に記憶できる。
【００１１】
本発明において、前記記憶部は、複数の第１識別情報のそれぞれの順番を示す順番情報を記憶し、前記第２判定手段は、前記紙媒体に関連付けて前記記憶部に記憶された前記複数の第１識別情報のうち、前記第１判定手段によって前記更新指示を受け付けた回数に応じた前記順番の前記第１識別情報を、前記順番情報に基づいて特定し、特定した前記第１識別情報と前記第２識別情報とが一致するか判定してもよい。この場合、情報入力装置は、所定の順番に従ってＲＦＩＤタグから第２識別情報を検出した場合に、筆記データと最表部頁データとを関連付けて記憶部に記憶できる。
【００１２】
本発明において、前記紙媒体を示す媒体情報に第３識別情報を関連付けて記憶する記憶部と、前記筆記具の移動の軌跡に基づいて第４識別情報を特定する特定手段と、前記媒体情報に関連付けて前記記憶部に記憶された前記第３識別情報と、前記特定手段によって特定された前記第４識別情報とが一致するか判定する第３判定手段とを備え、前記第２取得手段は、前記第３判定手段によって、前記第３識別情報と前記第４識別情報とが一致すると判定した場合に、前記媒体情報によって示される前記紙媒体の複数の用紙のそれぞれに関連する複数の頁データから前記最表部頁データを取得してもよい。この場合、情報入力装置は、記憶部に予め記憶された第３識別情報と一致する第４識別情報が筆記された場合に、筆記データと最表部頁データとを関連付けて記憶部に記憶できる。
【００１３】
本発明において、前記複数の頁データのそれぞれは、対応する前記複数の用紙のそれぞれに予め設けられた線画を特定可能なフォーマットデータであってもよい。この場合、情報入力装置は、筆跡を示す筆記データと、用紙のフォーマットとを関連付けて記憶できる。
【図面の簡単な説明】
【００１４】
【図１】手書入力システム１の概要を示す図である。
【図２】第１実施形態における読取装置２の電気的構成を示すブロック図である。
【図３】紙媒体１０２の１０頁分の用紙１１２を示す図である。
【図４】第１実施形態におけるメイン処理のフローチャートである。
【図５】紙媒体１０３の１０頁分の用紙１１３を示す図である。
【図６】第２実施形態におけるメイン処理のフローチャートである。
【図７】第３実施形態における読取装置２の電気的構成を示すブロック図である。
【図８】第３実施形態におけるメイン処理のフローチャートである。
【図９】紙媒体１０５の１０頁分の用紙１１４を示す図である。
【図１０】第５実施形態におけるメイン処理のフローチャートである。
【図１１】第５実施形態におけるメイン処理のフローチャートであって、図１０の続きである。
【発明を実施するための形態】
【００１５】
＜第１実施形態＞
以下、本発明の第１実施形態について、図面を参照して説明する。以下の説明では、図１の左上側、右下側、上側、下側、右上側、左下側を、各々、読取装置２の左側、右側、前側、後側、上側、下側と定義して説明する。
【００１６】
＜システム概要＞
図１を参照して、手書入力システム１の概要を説明する。手書入力システム１は、読取装置２、電子ペン３、スマートフォン１９を主に備える。読取装置２は、薄型軽量の手書き入力装置である。手書入力システム１では、ユーザは電子ペン３を用いて、読取装置２に装着された紙媒体１００に点や線画を筆記する。以下では、線画が筆記される場合について説明する。線画には、文字、数値、記号、図形等が含まれる。読取装置２は、筆記の過程における電子ペン３の位置を取得する。読取装置２は、取得した位置に基づいてストロークデータを作成する。ストロークデータは、電子ペン３によって筆記された線画上の複数の位置のそれぞれを示す複数の座標データを少なくとも含む。このため、複数の座標データは、それぞれ、電子ペン３によって線画が筆記されたときの電子ペン３の移動の軌跡を示す。読取装置２は、作成したストロークデータを、スマートフォン１９に送信できる。スマートフォン１９は、ストロークデータを受信した場合、受信したストロークデータに対応する画像を、ディスプレイ１９２に表示させる。これによってユーザは、電子ペン３によって紙媒体１００に筆記された線画と同一形状の線画を、ディスプレイ１９２を介して視認できる。又、ユーザは、電子ペン３によって紙媒体１００に筆記された線画を示すストロークデータを、読取装置２及びスマートフォン１９に保存できる。
【００１７】
読取装置２は、矩形薄板状である。読取装置２は、載置部２Ａを前面に備え、ＬＥＤ５を上端に備える。載置部２Ａの後側には、後述するセンサ基板７（図２参照）が配置される。載置部２Ａに紙媒体１００が着脱可能に装着される。紙媒体１００は、上端部が綴じられた複数の用紙１１１を含む。紙媒体１００の具体例として、各種設備の点検表等が挙げられる。複数の用紙１１１のそれぞれに予め印刷される文字や線分等のレイアウトを示すフォーマットは、複数の用紙１１１のそれぞれで異なる場合がある。予め印刷される文字の具体例として、点検項目が挙げられる。予め印刷される線分の具体例として、記入欄を示す矩形状の枠線が挙げられる。紙媒体１００は、両面テープ及び粘着性を有する樹脂フィルム等によって、紙媒体１００が載置部２Ａに位置決めされた状態で装着される。ユーザは、紙媒体１００の複数の用紙１１１のうち最表部に配置された用紙１１１に、電子ペン３を用いて線画を筆記できる。又、ユーザは、最表部の用紙を捲ることによって、複数の用紙１１１のうち電子ペン３によって筆記する最表部の用紙の頁を、次の頁に変更する。
【００１８】
なお、紙媒体１００の複数の用紙１１１は、上端部が綴じられている場合に限定されず、左端部、右端部、及び、下端部の何れかが綴じられていてもよい。
【００１９】
電子ペン３は、公知の電磁誘導式の電子ペンであり、筒体３０、芯体３１、コイル３２、コンデンサ３３，３５、基板３４、インク収納部３６、及び、図示外のスイッチを主に備える。筒体３０は、円柱状の形状を有し、芯体３１の一部、コイル３２、コンデンサ３３，３５、基板３４、及びインク収納部３６を内部に収容する。芯体３１は、電子ペン３の先端部に設けられている。芯体３１は、図示しない弾性部材によって、電子ペン３の先端側に付勢されている。芯体３１の先端部は、筒体３０の外部に突出している。芯体３１の後端側は、インクが収納されているインク収納部３６に接続されている。インク収納部３６は、芯体３１にインクを供給する。ユーザが電子ペン３を用いて最表部の用紙に筆記する動作を行うと、インクによって最表部の用紙に線画が形成される。
【００２０】
コイル３２は、インク収納部３６の周囲に巻回された状態で、芯体３１とコンデンサ３３との間に保持されている。コンデンサ３３は、基板３４によって電子ペン３の内部に固定されている。基板３４には、コンデンサ３５が搭載されている。コンデンサ３３，３５はコイル３２に並列に接続され、周知の共振（同調）回路を構成する。図示外のスイッチは、芯体３１の後方に設けられる。スイッチは、筒体３０から芯体３１が突出した状態でＯＦＦし、筒体３０に芯体３１が進入した状態でＯＮする。スイッチがＯＮしたとき、コイル３２は導通状態となり、スイッチがＯＦＦしたとき、コイル３２は非導通状態となる。このため、電子ペン３による筆記が行われていない場合、芯体３１は筒体３０から突出するので、スイッチはＯＦＦし、コイル３２は非導通状態となる。一方、電子ペン３による筆記が行われている場合、芯体３１は筒体３０の内部に進入するので、スイッチはＯＮし、コイル３２は導通状態となる。
【００２１】
スマートフォン１９は、タッチパネル１９１及びディスプレイ１９２を備える。タッチパネル１９１は、各種指示を入力するために使用される。ディスプレイ１９２は、画像ファイルに対応する画像を表示可能である。なお、スマートフォン１９の代わりに汎用ＰＣやタブレットＰＣが用いられてもよい。
【００２２】
＜電気的構成＞
図２を参照して、読取装置２の電気的構成について説明する。読取装置２は、メイン基板２０、センサ制御基板２８、センサ基板７、入力部２５、及び、ＬＥＤ５を備える。メイン基板２０は、ＣＰＵ２１、ＲＡＭ２２、フラッシュＲＯＭ２３、及び無線通信部２４を備える。センサ制御基板２８は、ＡＳＩＣ２８Ａを備える。ＲＡＭ２２、フラッシュＲＯＭ２３、無線通信部２４、入力部２５、ＬＥＤ５、及び、ＡＳＩＣ２８Ａは、ＣＰＵ２１に電気的に接続されている。センサ基板７は、ＡＳＩＣ２８Ａに電気的に接続されている。
【００２３】
ＣＰＵ２１は、読取装置２の制御を行う。ＲＡＭ２２は、演算データ等の各種データを一時的に記憶する。フラッシュＲＯＭ２３には、ＣＰＵ２１が読取装置２を制御するために実行するプログラムが記憶される。また、フラッシュＲＯＭ２３には、フォーマットテーブルが記憶される。フォーマットテーブルでは、媒体ＩＤ、頁数、及び、レイアウトデータが対応付けられている。媒体ＩＤは、紙媒体１００の種別を示す識別情報である。頁数は、対応する媒体ＩＤによって示される紙媒体１００に含まれる複数の用紙１１１の総頁数を示す。レイアウトデータは、対応する媒体ＩＤによって示される紙媒体１００の複数の用紙１１１のそれぞれのフォーマットを、頁毎特定可能なデータである。より詳細には、レイアウトデータには、載置部２Ａのうち、後述する日付欄５１、氏名欄５２、及び、更新チェックボックス５４（図３参照）のそれぞれの枠線の領域内に対応する位置を特定可能なデータが含まれる。又、レイアウトデータには、点検項目欄５３に含まれる複数の点検項目のそれぞれの内容を特定可能なデータ（以下、「項目データ」という。）が含まれる。又、レイアウトデータには、載置部２Ａのうち、点検項目欄５３に含まれ且つ複数の点検項目のそれぞれに対応付けられたチェックボックスの枠線の領域内に対応する位置を特定可能なデータが含まれる。以下、載置部２Ａのうち、日付欄５１、氏名欄５２、更新チェックボックス５４、及び、点検項目欄５３に含まれるチェックボックスの枠線の領域内に対応する位置を、それぞれ、単に、「日付欄５１、氏名欄５２、更新チェックボックス５４、及び、点検項目欄５３に含まれるチェックボックスの位置」という。
【００２４】
なお上記のうちプログラムは、読取装置２の出荷時に予めフラッシュＲＯＭ２３に記憶される。なお、フラッシュＲＯＭ２３に記憶されたプログラムは、出荷後に書き換え可能としてもよい。例えば、ＣＰＵ２１は、無線通信部２４を介してプログラムを受信し、フラッシュＲＯＭ２３に記憶できるようにしてもよい。
【００２５】
無線通信部２４は、外部の電子機器と近距離無線通信を実行するためのコントローラである。入力部２５は、読取装置２に対する指示を入力するためのスイッチである。ＡＳＩＣ２８Ａは、電子ペン３による筆記動作がセンサ基板７上で行われた場合に、電子ペン３の位置を示す座標データを検出する。センサ基板７には、上下方向及び左右方向の各々に細長いループコイルが複数配列されている。
【００２６】
＜動作原理＞
センサ基板７上で電子ペン３による筆記動作が行われた場合に座標データが検出される原理を、概略的に説明する。ＣＰＵ２１は、ＡＳＩＣ２８Ａを制御して、センサ基板７の複数のループコイルに一本ずつ特定の周波数の電流（励磁用送信電流）を流す。これにより、センサ基板７の複数のループコイルのそれぞれから、磁界が発生する。
【００２７】
この状態で、例えばユーザが電子ペン３を用いて、読取装置２に装着された紙媒体１００の複数の用紙１１１のうち最表部の用紙に、線画を筆記する動作を行ったとする。この場合、電子ペン３はセンサ基板７に近接する。又、筆記の動作に応じて、電子ペン３の芯体３１が筒体３０内に進入することによって、スイッチはＯＮし、コイル３２は導通状態となる。このため、電子ペン３の共振回路は電磁誘導によって共振し、誘導磁界を生じる。
【００２８】
次に、ＣＰＵ２１はＡＳＩＣ２８Ａを制御して、センサ基板７の複数のループコイルのそれぞれからの磁界の発生を停止させる。センサ基板７のループコイルは、電子ペン３の共振回路から発せられる誘導磁界を受信する。ＣＰＵ２１はＡＳＩＣ２８Ａを制御して、センサ基板７の複数のループコイルに流れる信号電流（受信電流）を検出させる。ＡＳＩＣ２８Ａは、この動作を複数のループコイルのすべてについて一本ずつ実行する。ＡＳＩＣ２８Ａは、受信電流を検出した場合のループコイルの位置を、電子ペン３の位置を示す座標データとして特定し、ＣＰＵ２１に対して出力する。ＣＰＵ２１は、ＡＳＩＣ２８Ａから座標データが出力された場合、載置部２Ａの後側のセンサ基板７に電子ペン３が近接し、且つ、芯体３１が筒体３０内に進入しているので、載置部２Ａに載置された紙媒体１００に電子ペン３によって線画が筆記されていると判定する。
【００２９】
＜紙媒体１００の概要、使用方法＞
図３を参照し、紙媒体１００の一例である紙媒体１０２の概要について説明する。紙媒体１０２では、１０頁分の用紙１１２（用紙１１２Ａ、１１２Ｂ・・・１１２Ｊ）が、上端部で綴じられている。１０頁分の用紙１１２のそれぞれには、共通するフォーマットとして、表題（頁数）５０、日付欄５１、氏名欄５２、及び、更新チェックボックス５４が設けられている。表題（頁数）５０は、「点検表（Ｘ／１０）」（Ｘは頁番号）を示す文字列である。日付欄５１は、日付を筆記するための矩形状の枠線である。氏名欄５２は、筆記者の氏名を筆記するための矩形状の枠線である。更新チェックボックス５４は、１０頁分の用紙１１２のそれぞれの右下に設けられたチェックボックスである。なお、１０頁分の用紙１１２のうち最後の頁の用紙１１２Ｊを除く用紙１１２Ａ〜の更新チェックボックス５４に対して、「次ページ」の文字列が対応付けられ、用紙１１２Ｊの更新チェックボックス５４に対して、「終了」の文字列が対応付けられている。
【００３０】
又、１０頁分の用紙１１２のそれぞれには、頁毎に異なる点検項目欄５３が設けられている。点検項目欄５３には、複数の点検項目及びチェックボックスが列記されている。点検項目欄５３は、複数の用紙１１２毎に異なっている。
【００３１】
紙媒体１０２は、１０頁分の用紙１１２のそれぞれに対応する点検者が、点検項目に従って設備の点検を行うために使用される。具体的には次の通りである。１頁目の用紙１１２Ａに対応する点検者（以下、「第１点検者」という。）は、１頁目の用紙１１２Ａが最表部に配置された状態で、電子ペン３によって、日付欄５１に日付「２０１５／２／１」を筆記し、氏名欄５２に氏名「山田太郎」を筆記する。第１点検者は、点検項目欄５３Ａの複数の点検項目に基づいて、設備の点検を行う。第１点検者は、点検項目欄５３Ａの複数のチェックボックスのうち、確認済みの点検項目に対応するチェックボックスに、電子ペン３によってチェックマークを順番に筆記する。
【００３２】
又、第１点検者は、用紙１１２Ａの点検項目欄５３Ａの複数の点検項目に対応する点検が完了した場合、更新チェックボックス５４に電子ペン３によってチェックマークを筆記する。更新チェックボックス５４に対するチェックマークの筆記は、１頁目の用紙１１２Ａに基づいた点検が完了したことを、読取装置２に通知するために行われる。又、更新チェックボックス５４に対するチェックマークの筆記は、２頁目の用紙１１２Ｂに基づいた点検を次に開始する為に、１頁目の用紙１１２Ａが捲られ、最表部に配置される用紙が、１頁目の用紙１１２Ａから２頁目の用紙１１２Ｂに更新されることを、読取装置２に通知するために行われる。
【００３３】
読取装置２のＣＰＵ２１は、１頁目の用紙１１２Ａの更新チェックボックス５４に電子ペン３によって筆記されたと判断した場合、日付欄５１、氏名欄５２、及び、点検項目欄５３に含まれるチェックボックスの位置を、フラッシュＲＯＭ２３に記憶されたフォーマットテーブルのレイアウトデータに基づいて取得する。ＣＰＵ２１は、日付欄５１、及び、氏名欄５２の位置に筆記された線画に対応するストロークデータを取得する。ＣＰＵ２０１は、点検項目欄５３に含まれるチェックボッスのうち、チェックマークが筆記されたチェックボックスに対応する点検項目「１．１」「１．２」「１．３」「１．４」「１．５」の項目データを、フラッシュＲＯＭ２３に記憶されたフォーマットテーブルのレイアウトデータに基づいて特定する。ＣＰＵ２０１は、日付及び氏名のストロークデータ、及び、チェックマークが筆記された点検項目の項目データを関連付け、フラッシュＲＯＭ２３の所定の領域（以下、「データバッファ」という。）に記憶する。
【００３４】
次に、２頁目の用紙１１２Ｂに対応する点検者（以下、「第２点検者」という。）は、１頁目の用紙１１２Ａを捲り、２頁目の用紙１１２Ｂを最表部に配置させる。このように、本実施形態において、紙媒体１０２の１０頁分の用紙１１２は、１頁目から順番に１頁ずつユーザによって捲られながら使用されることを前提とする。なお、上記において、第２点検者の代わりに第１点検者が、１頁目の用紙１１２Ａを捲ってもよい。
【００３５】
第２点検者は、第１点検者と同様、電子ペン３によって、最表部に配置された用紙１１２Ｂの日付欄５１に日付「２０１５／２／１」を筆記し、氏名欄５２に氏名「鈴木次郎」を筆記する。第２点検者は、点検項目欄５３に含まれる複数のチェックボックスのうち、確認済みの点検項目に対応するチェックボックスに、電子ペン３によってチェックマークを筆記する。又、第２点検者は、用紙１１２Ｂの点検項目欄５３に含まれる複数の点検項目に対応する点検が完了した場合、更新チェックボックス５４に電子ペン３によってチェックマークを筆記する。ＣＰＵ２１は、日付及び氏名のストロークデータ、及び、チェックマークが筆記された点検項目「２．１」「２．２」「２．３」「２．５」の項目データを関連付け、データバッファに記憶する。
【００３６】
以上と同様の手順で、１０頁分の用紙１１２のそれぞれに対して、電子ペン３によって筆記が行われる。ＣＰＵ２１は、更新チェックボックス５４にチェックマークが筆記される毎に、日付及び氏名のストロークデータ、及び、チェックマークが筆記された点検項目の項目データを関連付けて、データバッファに記憶する。
【００３７】
ＣＰＵ２１は、フラッシュＲＯＭ２３に記憶されたレイアウトテーブルの頁数分、ストロークデータ及び項目データを関連付けてデータバッファに記憶した場合、１０頁分の用紙１１２の全てに対応する点検項目の点検が全て完了したと判定する。ＣＰＵ２１は、この状態で、スマートフォン１９から要求データを受信した場合、データバッファに記憶されたストロークデータ及び項目データを、無線通信部２４を介してスマートフォン１９に送信する。
【００３８】
スマートフォン１９は、ストロークデータ及び項目データを受信した場合、ストロークデータ及び項目データに基づいて、日付、氏名、及び、点検項目を、紙媒体１０２の１０頁分の用紙１１２毎にディスプレイ１９２に表示させる。具体的には、例えば、設備の点検責任者は、スマートフォン１９に表示された日付、氏名、及び点検項目を視認することによって、設備の点検状況を確認できる。
【００３９】
＜メイン処理＞
図４を参照し、第１実施形態におけるメイン処理について説明する。以下では、図３の紙媒体１０２が使用された場合を適宜例に挙げ、具体的に説明する。ＣＰＵ２１は、読取装置２の電源をＯＮする操作を、入力部２５を介して検出した場合、フラッシュＲＯＭ２３に記憶されたプログラムを実行することによって、メイン処理を開始する。ユーザは、読取装置２の電源をＯＮした後、載置部２Ａ（図１参照）に紙媒体１０２（図３参照）を装着する。ユーザは、装着した紙媒体１０２の種別を入力する操作を、入力部２５を介して行う。
【００４０】
ＣＰＵ２１は、入力部２５を介して操作を検出した場合、入力された種別に対応する媒体ＩＤを取得する（Ｓ１１）。ＣＰＵ２１は、フラッシュＲＯＭ２３に記憶されたフォーマットテーブルを参照し、取得した媒体ＩＤに対応付けられている頁数（＝「１０」）、及び、レイアウトデータを取得する（Ｓ１３）。ＣＰＵ２１は、変数ｎに「１」を設定する（Ｓ１５）。変数ｎは、複数の用紙１１２のうち最表部に配置された用紙１１２の頁数を示す。ＣＰＵ２１は、データバッファをクリアする（Ｓ１５）。ＣＰＵ２１は、Ｓ１３の処理によって取得したレイアウトデータのうち、ｎ頁目の用紙１１２、即ち、最表部に配置された用紙１１２に対応するレイアウトデータを抽出する（Ｓ１７）。
【００４１】
ＣＰＵ２１は、ＡＳＩＣ２８Ａから出力された座標データを検出したかに応じて、電子ペン３によって線画が筆記されているか判定する（Ｓ１９）。ＣＰＵ２１は、ＡＳＣ２８からの座標データが検出されない場合、電子ペン３によって線画が筆記されていないと判定する（Ｓ１９：ＮＯ）。この場合、ＣＰＵ２１は、処理をＳ１９に戻す。ＣＰＵ２１は、線画が筆記されたかの判定を継続する。ＣＰＵ２１は、ＡＳＩＣ２８Ａから出力された座標データを検出した場合、電子ペン３によって線画が筆記されていると判定する（Ｓ１９：ＹＥＳ）。この場合、ＣＰＵ２１は、ＡＳＩＣ２８Ａから出力された座標データと、座標データが検出された時刻を示す時間データとを関連付け、ＲＡＭ２２に記憶する。ＣＰＵ２１は、電子ペン３による筆記が終了するまで、座標データ及び時間データをＲＡＭ２２に記憶する処理を繰り返す。
【００４２】
ＣＰＵ２１は、電子ペン３による筆記が終了した場合、Ｓ１３の処理によって取得されたレイアウトデータに基づき、更新チェックボックス５４（図３参照）の位置を特定する。ＣＰＵ２１は、ＲＡＭ２２に記憶された座標データによって示される位置が、更新チェックボックス５４の位置に含まれるか判定することによって、更新チェックボックス５４に線画（チェックマーク）が筆記されたかを判定する（Ｓ２１）。ＣＰＵ２１は、座標データによって示される位置が、更新チェックボックス５４の位置に含まれていない場合、更新チェックボックス５４に線画が筆記されていないと判定する（Ｓ２１：ＮＯ）。ＣＰＵ２１は、処理をＳ２５に進める。
【００４３】
ＣＰＵ２１は、Ｓ１３の処理によって取得されたレイアウトデータに基づき、日付欄５１（図３参照）、及び、氏名欄５２（図３参照）の位置を特定する。ＣＰＵ２１は、ＲＡＭ２２に記憶された座標データによって示される位置が、日付欄５１の位置に含まれる場合、ｎ頁目の用紙１１２（図３参照）の日付を示すストロークデータの一部として、ＲＡＭ２２に記憶された座標データ及び時間データをデータバッファに記憶する（Ｓ２５）。ＣＰＵ２１は、ＲＡＭ２２に記憶された座標データによって示される位置が、氏名欄５２（図３参照）の位置に含まれる場合、ｎ頁目の用紙１１２の氏名を示すストロークデータの一部として、ＲＡＭ２２に記憶された座標データ及び時間データをデータバッファに記憶する（Ｓ２５）。ＣＰＵ２１は、ＲＡＭ２２に記憶された座標データによって示される位置が、点検項目欄５３（図３参照）に含まれるチェックボックスの位置に含まれる場合、ＲＡＭ２２に記憶された座標データによって示される位置に基づいて、チェックボックスに対応する点検項目の項目データを特定する。ＣＰＵ２１は、特定した項目データを、ｎ頁目の用紙１１２に対応する項目データとしてデータバッファに記憶する（Ｓ２５）。ＣＰＵ２１は、ＲＡＭ２２をクリアし、処理をＳ１９に戻す。
【００４４】
一方、ＣＰＵ２１は、座標データによって示される位置が、更新チェックボックス５４の位置に含まれている場合、更新チェックボックス５４に線画（チェックマーク）が筆記されたと判定する（Ｓ２１：ＹＥＳ）。ＣＰＵ２１は、変数ｎに「１」を加算して更新する（Ｓ２３）。ＣＰＵ２１は、更新後の変数ｎが、Ｓ１３の処理によって取得された頁数（＝「１０」）よりも大きいか判定する（Ｓ２７）。ＣＰＵ２１は、更新後の変数ｎが、Ｓ１３の処理によって取得された頁数以下の場合（Ｓ２７：ＮＯ）、紙媒体１０２の１０頁分の用紙１１２の全てに対し、電子ペン３による筆記が行われていないと判定する。この場合、ＣＰＵ２１は、処理をＳ１７に戻す。ＣＰＵ２１は、更新された変数ｎに基づき、ｎ頁目の用紙１１２、即ち、最表部の用紙１１２に対応するレイアウトデータを抽出し（Ｓ１７）、処理を繰り返す。
【００４５】
一方、ＣＰＵ２１は、更新後の変数ｎが、Ｓ１３の処理によって取得された頁数よりも大きい場合（Ｓ２７：ＹＥＳ）、紙媒体１０２の１０頁分の用紙１１２の全てに対し、電子ペン３による筆記が行われたと判定する。ＣＰＵ２１は、処理をＳ２９に進める。
【００４６】
ＣＰＵ２１は、スマートフォン１９から送信された要求データを受信したか判定する（Ｓ２９）。ＣＰＵ２１は、要求データを受信していないと判定した場合（Ｓ２９：ＮＯ）、処理をＳ２９に戻す。ＣＰＵ２１は、要求データの受信を継続して監視する。ＣＰＵ２１は、スマートフォン１９から送信された要求データを受信したと判定した場合（Ｓ２９：ＹＥＳ）、処理をＳ３１に進める。ＣＰＵ２１は、日付及び氏名を示すストロークデータ、及び、項目データを、１〜「ｎ−１」（＝１０）頁目のそれぞれの用紙１１２毎にデータバッファから抽出する。ＣＰＵ２１は、１〜「ｎ−１」頁目のそれぞれの用紙１１２毎に抽出した、ストロークデータ及び項目データを、スマートフォン１９に対して送信する（Ｓ３１）。ＣＰＵ２１はメイン処理を終了させる。
【００４７】
＜第１実施形態の主たる作用及び効果＞
以上説明したように、第１実施形態において、読取装置２のＣＰＵ２１は、複数の用紙１１２が綴られた紙媒体１０２に電子ペン３で筆記された線画上の位置を示す座標データを取得する（Ｓ１９）。ＣＰＵ２１は、更新チェックボックス５４に対する筆記を検出してから（Ｓ２１：ＹＥＳ）、次に更新チェックボックス５４に対する筆記を検出する（Ｓ２１：ＹＥＳ）までの間にＡＳＩＣ２８Ａから取得した座標データを含むストロークデータを、最表部に配置された用紙１１２、言い換えれば、ｎ頁目の用紙１１２のレイアウトデータに含まれる項目データに関連付けて、データバッファに記憶する（Ｓ２５）。このように、ＣＰＵ２１は、最表部に配置された用紙１１２に対応する項目データを、更新チェックボックス５４に筆記されたかに応じて特定し、ストロークデータに関連付けてデータバッファに記憶できる。
【００４８】
又、ＣＰＵ２１は、紙媒体１０２の複数の用紙１１２に共通する位置に設けられた更新チェックボックス５４に筆記されたかに基づいて、最表部に配置された用紙１１２、即ち、電子ペン３による筆記が可能な用紙１１２を特定する。このため、紙媒体１０２の複数の用紙１１２を個別に特定するためのチェックボックス等を、複数の用紙１１２毎に別々の場所に設ける必要がない。従って、複数の用紙１１２のそれぞれにおいて、日付欄５１、氏名欄５２、及び、点検項目欄５３を設けるための十分な領域を確保できる。又、ＣＰＵ２１は、複数の用紙１１２に電子ペン３で筆記された場合のストロークデータを、筆記された用紙１１２に対応する項目データに対応付けて、データバッファに記憶できる。
【００４９】
ＣＰＵ２１は、載置部２Ａのうち、更新チェックボックス５４の枠線の領域内に対応する位置に電子ペン３が近接して筆記動作が行われたと判定した場合（Ｓ２１：ＹＥＳ）、最表部の用紙１１２が次の頁の用紙１１２に更新されたと判定する。これによって、紙媒体１０２の複数の用紙１１２のそれぞれのうち、更新チェックボックス５４を除いた部分を、ストロークデータを取得するための領域として確保できる。従って、複数の用紙１１２のそれぞれに、ストロークデータを取得するためのより大きな領域を確保できる。
【００５０】
フラッシュＲＯＭ２３に記憶されたフォーマットテーブルには、レイアウトデータが格納される。レイアウトデータには、点検項目欄５３に含まれる複数の点検項目のそれぞれの内容を特定可能な項目データが含まれる。このため、ＣＰＵ２１は、複数の用紙１１２のそれぞれに筆記された日付及び氏名を示すストロークデータと、この用紙１１２の点検項目欄５３に含まれる点検項目のうち、筆記されたチェックボックスに対応する点検項目を示す項目データとを関連付けて、データバッファに記憶できる（Ｓ２５）。
【００５１】
＜第２実施形態＞
図５、図６を参照し、本発明の第２実施形態について説明する。なお、システム概要（図１参照）、及び、電気的構成（図２参照）については、第１実施形態と同一であるので、説明を省略する。図５を参照し、紙媒体１００の一例である紙媒体１０３の概要について説明する。紙媒体１０３は、複数の用紙１１３（１１３Ａ、１１３Ｂ、・・・１１３Ｊ）を含む。複数の用紙１１３が複数の用紙１１２（図３参照）と異なる点は、更新チェックボックス５４（図３参照）が設けられていない点である。その他のフォーマット（表題（頁数）５０、日付欄５１、氏名欄５２、点検項目欄５３）については、複数の用紙１１２と同一である。
【００５２】
図６を参照し、第２実施形態におけるメイン処理について説明する。第１実施形態と同一の処理については、同一符号を付し、説明を省略する。ＣＰＵ２１は、Ｓ１３の処理によって取得したレイアウトデータのうち、ｎ頁目の用紙１１１、即ち、最表部の用紙１１２に対応するレイアウトデータを抽出する（Ｓ１７）。ＣＰＵ２１は、Ｓ１７の処理によって抽出されたレイアウトデータに含まれる項目データによって示される点検項目の総数を計数する（Ｓ４１）。ＣＰＵ２１は、ＲＡＭ２２に記憶された変数ｍに「０」を設定して初期化する（Ｓ４１）。変数ｍは、１頁分の用紙１１３の点検項目欄５３のうち、線画が筆記されたチェックボックスに対応する点検項目の総数を示す。
【００５３】
ＣＰＵ２１は、ＡＳＩＣ２８Ａから座標データが出力されている場合、電子ペン３によって線画が筆記されていると判定する（Ｓ１９：ＹＥＳ）。ＣＰＵ２１は、ＡＳＩＣ２８Ａから出力された座標データと時間データとを関連付け、ＲＡＭ２２に記憶する。ＣＰＵ２１は、電子ペン３による筆記が終了するまで、座標データ及び時間データをＲＡＭ２２に記憶する処理を繰り返す。ＣＰＵ２１は、電子ペン３による筆記が終了した場合、Ｓ１３の処理によって取得されたレイアウトデータに基づき、点検項目欄５３（図５参照）に含まれるチェックボックスの位置を特定する。ＣＰＵ２１は、ＲＡＭ２２に記憶された座標データによって示される位置が、点検項目欄５３（図３参照）に含まれるチェックボックスの位置に含まれるか判定する（Ｓ４３）。ＣＰＵ２１は、座標データによって示される位置が、点検項目欄５３（図３参照）に含まれるチェックボックスの位置に含まれないと判定した場合（Ｓ４３：ＮＯ）、処理をＳ２５に進める。
【００５４】
一方、ＣＰＵ２１は、座標データによって示される位置が、点検項目欄５３（図３参照）に含まれるチェックボックスの位置に含まれる場合（Ｓ４３：ＹＥＳ）、点検項目欄５３に含まれるチェックボックスに線画が筆記されたと判定する。ＣＰＵ２１は、線画が筆記されたチェックボックスに対応する点検項目の数を計数するために、ＲＡＭ２２に記憶された変数ｍに「１」を加算して更新する（Ｓ４５）。ＣＰＵ２１は、変数ｍが、Ｓ４１の処理によって算出された点検項目の総数以上であるか判定する（Ｓ４７）。ＣＰＵ２１は、変数ｍが、点検項目の総数よりも小さいと判定した場合（Ｓ４７：ＮＯ）、処理をＳ１９に戻す。一方、ＣＰＵ２１は、変数ｍが、点検項目の総数以上と判定した場合（Ｓ４７：ＹＥＳ）、処理をＳ２３に進める。
【００５５】
＜第２実施形態の主たる作用及び効果＞
以上説明したように、第２実施形態において、ＣＰＵ２１は、点検項目欄５３に含まれるチェックボックスに筆記された線画の総数が、点検項目欄５３に含まれる点検項目の総数以上となった場合（Ｓ４７：ＹＥＳ）、紙媒体１０３の複数の用紙１１３のうち最表部の用紙１１３が、次の頁の用紙１１３に更新されると判定する。この理由は、最表部の用紙１１３の全ての点検項目がチェックされており、ユーザによって全ての点検項目のチェックが完了したことになるので、紙媒体１０３への筆記の対象となる頁は、次の頁に更新される可能性が高いためである。従って、ＣＰＵ２１は、更新チェックボックス５４（図３参照）が用紙１１２に設けられない場合でも、筆記可能な最表部の用紙１１３を特定して項目データを抽出し、ストロークデータと関連付けてデータバッファに記憶できる。従って、複数の用紙１１３のそれぞれに、日付欄５１、氏名欄５２、及び、点検項目欄５３を設けるための更に大きな領域を確保できる。
【００５６】
＜第３実施形態＞
図７、図８を参照し、本発明の第３実施形態について説明する。図７を参照し、第３実施形態における読取装置２の電気的構成について説明する。第１実施形態における読取装置２の電気的構成（図２参照）と異なる点は、タグリーダ２６を備えている点である。又、第１実施形態と異なり、電子ペン３にＲＦＩＤタグが設けられる。タグリーダ２６は、ＲＦＩＤタグを検出し、且つ、ＲＦＩＤタグに記憶されたＩＤを読み取ることができる。タグリーダ２６は、ＣＰＵ２１と電気的に接続する。又、フラッシュＲＯＭ２３に記憶されたフォーマットテーブルでは、媒体ＩＤ、頁数、及び、レイアウトデータに加えて、複数のＩＤが対応付けられている。複数のＩＤは、対応する媒体ＩＤによって識別される紙媒体１００を使用する可能性のある複数のユーザのそれぞれが所持する電子ペン３に設けられたＲＦＩＤタグに記憶されたＩＤを示す。以下、フォーマットテーブルに記憶された複数のＩＤのそれぞれを、「第１識別情報」といい、ＲＦＩＤタグに記憶されたＩＤを、「第２識別情報」という。
【００５７】
図８を参照し、第３実施形態におけるメイン処理について説明する。第１実施形態と同一の処理については、同一符号を付し、説明を省略する。ＣＰＵ２１は、フラッシュＲＯＭ２３に記憶されたフォーマットテーブルを参照し、Ｓ１１の処理によって取得した媒体ＩＤに対応付けられている頁数、レイアウトデータ、及び、複数の第１識別情報を取得する（Ｓ５１）。ＣＰＵ２１は、変数ｎに「１」を設定する（Ｓ１５）。ＣＰＵ２１は、データバッファをクリアする（Ｓ１５）。
【００５８】
ＣＰＵ２１は、タグリーダ２６を介し、電子ペン３に設けられたＲＦＩＤを検出したか判定する（Ｓ５３）。ＣＰＵ２１は、ＲＦＩＤを検出しないと判定した場合（Ｓ５３：ＮＯ）、処理をＳ５３に戻す。ＣＰＵ２１は、ＲＦＩＤを検出したかを継続して監視する。ＣＰＵ２１は、ＲＦＩＤを検出したと判定した場合（Ｓ５３：ＹＥＳ）、ＲＦＩＤに記憶された第２識別情報を取得する（Ｓ５５）。ＣＰＵ２１は、Ｓ５１の処理によって取得した複数の第１識別情報に、Ｓ５５の処理によって取得された第２識別情報と一致する第１識別情報が含まれているか判定する（Ｓ５７）。ＣＰＵ２１は、第２識別情報と一致する第１識別情報が含まれていないと判定した場合（Ｓ５７：ＮＯ）、ＬＥＤ５を点滅させる。これによって、認証に失敗したことを通知する（Ｓ５９）。ＣＰＵ２１は処理をＳ５３に戻す。
【００５９】
一方、ＣＰＵ２１は、Ｓ５１の処理によって取得した複数の第１識別情報に、Ｓ５５の処理によって取得された第２識別情報と一致する第１識別情報が含まれている場合（Ｓ５７：ＹＥＳ）、ＲＦＩＤタグの認証に成功したと判定する。ＣＰＵ２１は、Ｓ５１の処理によって取得したレイアウトデータのうち、ｎ頁目の用紙１１２に対応するレイアウトデータを抽出する（Ｓ１７）。ＣＰＵ２１は、処理をＳ１９（図９参照）に進める。Ｓ１９からＳ３１までの処理は、第１実施形態と同一であるので、説明を省略する。
【００６０】
＜第３実施形態の主たる作用及び効果＞
以上説明したように、第３実施形態において、ＣＰＵ２１は、フォーマットテーブルに記憶された複数の第１識別情報に、電子ペン３に設けられたＲＦＩＤタグから取得した第２識別情報と一致する第１識別情報が含まれているか判定する（Ｓ５７）。ＣＰＵ２１は、第２識別情報と一致する第１識別情報が含まれていると判定した場合（Ｓ５７：ＹＥＳ）、ｎ頁目の用紙１１２に対応するレイアウトデータを抽出する（Ｓ１７）。この場合、ＣＰＵ２１は、フォーマットテーブルに予め記憶された複数の第１識別情報の何れかと一致する第２識別情報が記憶されたＲＦＩＤタグを備えた電子ペン３によって筆記された場合に、ストロークデータと項目データとを関連付けてデータバッファに記憶できる。従って、ＣＰＵ２１は、データバッファに記憶するストロークデータの基となる線画を筆記した電子ペン３を限定できるので、不特定の電子ペン３が使用されたときにストロークデータがデータバッファに記憶されることを抑制できる。
【００６１】
なお、第３実施形態において、フォーマットテーブルに格納される複数の第１識別情報のそれぞれに、順番を示す順番情報が更に対応付けられていてもよい。具体的には、順番情報は、１以上の自然数（１、２、３、・・・）であってもよい。ＣＰＵ２１は、Ｓ５７の処理によって、Ｓ５１の処理によって取得した複数の第１識別情報のうち、順番情報「ｎ」に対応付けられた第１識別情報と、Ｓ５５の処理によって取得された第２識別情報とが一致するか判定してもよい（Ｓ５７）。ＣＰＵ２１は、順番情報「ｎ」が対応付けられた第１識別情報と第２識別情報とが一致しないと判定した場合（Ｓ５７：ＮＯ）、Ｓ５９の処理に進み、ＬＥＤ５を点滅させてもよい。一方、ＣＰＵ２１は、順番情報「ｎ」が対応付けられた第１識別情報と第２識別情報とが一致すると判定した場合（Ｓ５７：ＹＥＳ）、Ｓ１７の処理に進み、Ｓ５１の処理によって取得したレイアウトデータのうち、ｎ頁目の用紙１１２に対応するレイアウトデータを抽出してもよい（Ｓ１７）。
【００６２】
なお、ＣＰＵ２１は、載置部２Ａのうち更新チェックボックス５４の枠線の領域内に対応する位置に電子ペン３が近接して筆記動作が行われたと判定した場合（Ｓ２１：ＹＥＳ）、変数ｎを更新する（Ｓ２３）。従って、ＣＰＵ２１は、更新チェックボックス５４に線画がチェックされる毎に、フォーマットテーブルに格納された複数の第１識別情報の中から抽出する第１識別情報を順番情報に基づいて更新し、第２識別情報と一致するか判定できる。従って、ＣＰＵ２１は、順番情報に基づく所定の順番通りにＲＦＩＤタグから第２識別情報を検出した場合に、ストロークデータと項目データとを関連付けてデータバッファに記憶できる。
【００６３】
＜第４実施形態＞
図９から図１１を参照し、本発明の第４実施形態について説明する。図９を参照し、紙媒体１００の一例である紙媒体１０４の概要について説明する。紙媒体１０４は、複数の用紙１１４（１１４Ａ、１１４Ｂ、・・・１１４Ｊ）を含む。複数の用紙１１４が複数の用紙１１２（図３参照）と異なる点は、共通するフォーマットとしてコード欄５５が新たに設けられている点である。コード欄５５は、ユーザを識別するコードを筆記するための矩形状の枠線である。図９の場合、用紙１１４Ａ、１１４Ｂ、１１４Ｊのそれぞれのコード欄５５に、「Ｔ．Ｍ」「Ｚ．Ｓ」「Ｈ．Ｉ」が筆記されている。その他のフォーマット（表題（頁数）５０、日付欄５１、氏名欄５２、点検項目欄５３、更新チェックボックス５４）については、複数の用紙１１２と同一である。
【００６４】
又、フラッシュＲＯＭ２３に記憶されたフォーマットテーブルでは、媒体ＩＤ、頁数、及び、レイアウトデータに加えて、複数のコードが対応付けられている。複数のコードは、対応する媒体ＩＤによって識別される紙媒体１００を使用する可能性のある複数のユーザのそれぞれを識別するための情報である。以下、フォーマットテーブルに記憶された複数のコードのそれぞれを、「第３識別情報」といい、コード欄５５に筆記されたコードを、「第４識別情報」という。
【００６５】
図１０、図１１を参照し、第４実施形態におけるメイン処理について説明する。第１実施形態と同一の処理については、同一符号を付し、説明を省略する。ＣＰＵ２１は、フラッシュＲＯＭ２３に記憶されたフォーマットテーブルを参照し、Ｓ１１の処理によって取得した媒体ＩＤに対応付けられている頁数、レイアウトデータ、及び、複数の第３識別情報を取得する（Ｓ６１）。ＣＰＵ２１は、変数ｎに「１」を設定する（Ｓ１５）。ＣＰＵ２１は、データバッファをクリアする（Ｓ１５）。
【００６６】
ＣＰＵ２１は、ＡＳＩＣ２８Ａから出力された座標データを検出したかに応じて、電子ペン３によって線画が筆記されているか判定する（Ｓ６３）。ＣＰＵ２１は、ＡＳＣ２８からの座標データが検出されない場合、電子ペン３によって線画が筆記されていないと判定する（Ｓ６３：ＮＯ）。この場合、ＣＰＵ２１は、処理をＳ６３に戻す。ＣＰＵ２１は、線画が筆記されたかの判定を継続する。ＣＰＵ２１は、ＡＳＩＣ２８Ａから出力された座標データを検出した場合、電子ペン３によって線画が筆記されていると判定する（Ｓ６３：ＹＥＳ）。この場合、ＣＰＵ２１は、ＡＳＩＣ２８Ａから出力された座標データと、座標データが検出された時刻を示す時間データとを関連付け、ストロークデータとしてＲＡＭ２２に記憶する（Ｓ６５）。ＣＰＵ２１は、電子ペン３による筆記が終了した状態が、所定時間以上継続するまで、座標データ及び時間データをＲＡＭ２２に記憶する処理を繰り返す（Ｓ６５）。これによって、コード欄５５（図９参照）にコードが筆記されている場合に、筆記されたコードに対応する全ての座標データ及び時間データを、ＲＡＭ２２に記憶する。
【００６７】
ＣＰＵ２１は、電子ペン３による筆記が終了した状態が、所定時間以上継続した場合、Ｓ６１の処理によって取得されたレイアウトデータに基づき、コード欄５５（図９参照）の位置を特定する。ＣＰＵ２１は、ＲＡＭ２２に記憶された座標データによって示される位置が、コード欄５５の位置に含まれるか判定することによって、コード欄にコードが筆記されたかを判定する（Ｓ６７）。ＣＰＵ２１は、座標データによって示される位置が、コード欄５５の位置に含まれていない場合、コード欄５５にコードが筆記されていないと判定する（Ｓ６７：ＮＯ）。ＣＰＵ２１は、処理をＳ６３に戻す。
【００６８】
ＣＰＵ２１は、座標データによって示される位置が、コード欄５５の位置に含まれている場合、コード欄５５にコードが筆記されたと判定する（Ｓ６７：ＹＥＳ）。ＣＰＵ２１は、ＲＡＭ２２に記憶された座標データによって示される位置を、時間データによって示される時刻の順番に結ぶことによって、電子ペン３によって筆記された線分を特定する。ＰＣＵ２１は、特定した線分に対し、周知の文字認識処理を実行することによって、筆記されたコードを第４識別情報として特定する（Ｓ６９）。
【００６９】
ＣＰＵ２１は、Ｓ６１の処理によって取得した複数の第３識別情報に、Ｓ６９の処理によって特定された第４識別情報と一致する第３識別情報が含まれているか判定する（Ｓ７１）。ＣＰＵ２１は、第４識別情報と一致する第３識別情報が含まれていないと判定した場合（Ｓ７１：ＮＯ）、ＬＥＤ５を点滅させる。これによって、認証に失敗したことを通知する（Ｓ７３）。ＣＰＵ２１は処理をＳ６３に戻す。一方、ＣＰＵ２１は、Ｓ６１の処理によって取得した複数の第３識別情報に、Ｓ６９の処理によって取得された第４識別情報と一致する第３識別情報が含まれていると判定した場合（Ｓ７１：ＹＥＳ）、Ｓ６１の処理によって取得したレイアウトデータのうち、ｎ頁目の用紙１１２に対応するレイアウトデータを抽出する（Ｓ１７）。ＣＰＵ２１は、処理をＳ１９（図１１参照）に進める。
【００７０】
図１１におけるＳ１９からＳ３１までの処理は、Ｓ２７の処理を除き、第１実施形態と同一である。Ｓ２７の処理において、ＣＰＵ２１は、更新後の変数ｎが、Ｓ６１の処理によって取得された頁数以下の場合（Ｓ２７：ＮＯ）、紙媒体１０４の１０頁分の用紙１１２の全てに対し、電子ペン３による筆記が行われていないと判定する。この場合、ＣＰＵ２１は、処理をＳ６３（図１０参照）に戻す。
【００７１】
＜第４実施形態の主たる作用及び効果＞
以上説明したように、第４実施形態において、ＣＰＵ２１は、フォーマットテーブルに記憶された複数の第３識別情報に、電子ペン３によってコード欄５５に筆記された第４識別情報と一致する第３識別情報が含まれているか判定する（Ｓ７１）。ＣＰＵ２１は、第４識別情報と一致する第３識別情報が含まれていると判定した場合（Ｓ７１：ＹＥＳ）、ｎ頁目の用紙１１２に対応するレイアウトデータを抽出する（Ｓ１７）。この場合、ＣＰＵ２１は、フォーマットテーブルに予め記憶された複数の第３識別情報の何れかと一致する第４識別情報がコード欄５５に筆記された場合に、ストロークデータと項目データとを関連付けてデータバッファに記憶できる。従って、ＣＰＵ２１は、データバッファに記憶するストロークデータの基となる線画を筆記したユーザのコードを限定できるので、不特定のユーザが電子ペン３を用いて筆記を行ったときにストロークデータがデータバッファに記憶されることを抑制できる。
【００７２】
＜変形例＞
本発明は上記実施形態に限定されず、種々の変更が可能である。上記において、ストロークデータは、座標データ及び時間データを含んでいた。ここで、座標データは、所定位置を基準点とした絶対座標系でもよいし、１つ前の時間データに対応する座標データを基準とした相対座標系でもよい。例えば、紙媒体１００が点検表以外の用途で用いられる場合、ＣＰＵ２１は、ｎ頁目の用紙１１１のフォーマットに関するデータであって項目データと異なるデータを、ストロークに関連付けて、データバッファに記憶してもよい。具体的には、例えば、用紙１１１に予め印刷された線画（仕切り線、図形、文字、数字等）を示すデータが、項目データの代わりにレイアウトデータに含まれてもよい。ＣＰＵ２１は、これらのデータを、ストロークデータに関連付けてデータバッファに記憶してもよい。
【００７３】
ＣＰＵ２１は、更新チェックボックス５４に線画が筆記されたと判定した場合（Ｓ２１：ＹＥＳ）、変数ｎに「１」を加算して更新した（Ｓ２３）。これに対し、ＣＰＵ２１は、別の方法でＳ２１の判断処理を行い、条件を満たす場合に、変数ｎに「１」を加算してもよい。例えば、ＣＰＵ２１は、タグリーダ２６によって、電子ペン３に設けられたＲＦＩＤに記憶されたＩＤを継続して検出してもよい。ＣＰＵ２１は、検出されたＩＤが変化したときに、Ｓ２１の処理によって条件を満たすと判断し（Ｓ２１：ＹＥＳ）、変数ｎに「１」を加算してもよい。又、例えばＣＰＵ２１は、コード欄５５にコードが筆記されたことを検出したときに、Ｓ２１の処理によって条件を満たすと判断し（Ｓ２１：ＹＥＳ）、変数ｎに「１」を加算してもよい。ＣＰＵ２１は、更新チェックボックス５４に筆記された線画が所定の文字、マーク等である場合に、Ｓ２１の処理によって条件を満たすと判断し（Ｓ２１：ＹＥＳ）、変数ｎに「１」を加算してもよい。
【００７４】
電子ペン３にスイッチが設けられていなくてもよい。この場合、ＡＳＩＣ２８Ａは、電子ペン３のコイル３２がセンサ基板７に近接したことを検出できる。そして、ＣＰＵ２１は、更新チェックボックス５４の位置に電子ペン３が近接したときに、Ｓ２１の処理によって条件を満たすと判断し（Ｓ２１：ＹＥＳ）、変数ｎに「１」を加算してもよい。
【００７５】
上記の第２実施形態において、ＣＰＵ２１は、点検項目欄５３に含まれるチェックボックスの位置に筆記された線画の形状を特定してもよい。ＣＰＵ２１は、特定した形状が条件を満たす場合、点検項目欄５３に含まれるチェックボックスに線画（チェックマーク）が筆記されたと判定してもよい。そして、ＣＰＵ２１は、筆記された線画の数が、点検項目の総数以上であるかを判定してもよい。
【００７６】
上記の第３実施形態において、ＣＰＵ２１は、フォーマットテーブルに記憶された複数の第１識別情報に、電子ペン３に設けられたＲＦＩＤタグに記憶された第２識別情報と一致する第１識別情報が含まれている場合に、最表部の用紙１１２に対応するレイアウトデータを抽出した（Ｓ１７）。これに対し、フォーマットテーブルに記憶される第１識別情報は１つであってもよい。複数の電子ペン３に設けられる複数のＲＦＩＤタグのそれぞれに、第１識別情報と同じ第２識別情報が記憶されていてもよい。
【００７７】
ＣＰＵ２１は、第３実施形態におけるＳ５１〜Ｓ５９、及び、第４実施形態におけるＳ６１〜Ｓ７３の処理を同時に実行してもよい。即ち、ＣＰＵ２１は、フォーマットテーブルに記憶された複数の第１識別情報に、電子ペン３に設けられたＲＦＩＤタグに記憶された第２識別情報と一致する第１識別情報が含まれており、且つ、フォーマットテーブルに記憶された複数の第３識別情報に、電子ペン３によってコード欄５５に筆記された第４識別情報と一致する第３識別情報が含まれている場合、ｎ頁目の用紙１１２に対応するレイアウトデータを抽出してもよい。
【００７８】
＜その他＞
座標データは本発明の「筆記データ」の一例である。Ｓ１９の処理を行うＣＰＵ２１は本発明の「第１取得手段」の一例である。Ｓ２１、Ｓ４７の処理を行うＣＰＵ２１は本発明の「第１判定手段」の一例である。レイアウトデータに含まれる項目データは、本発明の「頁データ」の一例である。Ｓ１７の処理を行うＣＰＵ２１は本発明の「第２取得手段」の一例である。Ｓ２５の処理を行うＣＰＵ２１は本発明の「記憶手段」の一例である。Ｓ５３の処理を行うＣＰＵ２１は本発明の「検出手段」の一例である。Ｓ５７の処理を行うＣＰＵ２１は本発明の「第２判定手段」の一例である。Ｓ６９の処理を行うＣＰＵ２１は本発明の「特定手段」の一例である。Ｓ７１の処理を行うＣＰＵ２１は本発明の「第３判定手段」の一例である。載置部２Ａのうち、更新チェックボックス５４に対応する領域は、本発明の「所定領域」の一例である。
【符号の説明】
【００７９】
２        ：読取装置
２Ａ      ：載置部
３        ：電子ペン
２１      ：ＣＰＵ
２２      ：ＲＡＭ
２３      ：フラッシュＲＯＭ
２６      ：タグリーダ
５１      ：日付欄
５２      ：氏名欄
５３      ：点検項目欄
５４      ：更新チェックボックス
５５      ：コード欄
１００、１０２、１０３、１０４    ：紙媒体
１１１、１１２、１１３、１１４    ：用紙
１９１    ：タッチパネル
１９２    ：ディスプレイ
２０１    ：ＣＰＵ
【図１】
2016218970.tif 000003
【図２】
2016218970.tif 000004
【図３】
2016218970.tif 000005
【図４】
2016218970.tif 000006
【図５】
2016218970.tif 000007
【図６】
2016218970.tif 000008
【図７】
2016218970.tif 000009
【図８】
2016218970.tif 000010
【図９】
2016218970.tif 000011
【図１０】
2016218970.tif 000012
【図１１】
2016218970.tif 000013